(57)【要約】【課題】本発明は、ワークの造型及びサイズに基づいて素早く調節し、且つ塗料を節約できる三次元プリンティング装置を提供することを目的とする。【解決手段】本発明に係る三次元プリンティング装置は、第一インクジェットヘッドが設置されている頂支持部材と、前記頂支持部材に間隔を調節可能に組み合わされる２つの側支持部材と、第二インクジェットヘッドが設置されており、且つ前記２つの側支持部材に組み合わされてスプレー塗装角度を調節できる２つの調節部材と、を備える。【選択図】図１
2011020113.tif 000002
【特許請求の範囲】
【請求項１】
第一インクジェットヘッドが設置されている頂支持部材と、
前記頂支持部材に間隔を調節可能に組み合わされる２つの側支持部材と、
第二インクジェットヘッドが設置されており、且つ前記２つの側支持部材に組み合わされてスプレー塗装角度を調節できる２つの調節部材と、
を備えることを特徴とする三次元プリンティング装置。
【請求項２】
前記頂支持部材は、両側に形成され且つそれぞれ複数の第一位置決め孔を有する２つの第一側板及び前記２つの第一側板の間に形成され且つ前記第一インクジェットヘッドを収容する第一収容部を備え、
前記側支持部材は、両側に形成され且つそれぞれ複数の第二位置決め孔を有する２つの第二側板及び前記２つの第二側板の間に形成され且つ前記頂支持部材の端部を収容する第二収容部を備え、
前記頂支持部材の両端部は前記２つの側支持部材の２つの第二収容部の上部に収容され、且つ固定部材と前記頂支持部材の第一位置決め孔及び前記側支持部材の第二位置決め孔との組み合わせによって前記頂支持部材と前記側支持部材とが結合されることを特徴とする請求項１に記載の三次元プリンティング装置。
【請求項３】
前記調節部材は、両側に形成され、上端に複数の調節用孔を有し且つ下端に固定孔を有する２つの第三側板及び前記２つの第三側板の間に形成され且つ前記第二インクジェットヘッドを収容する第三収容部を備え、
前記調節部材は前記第二収容部の下部に収容され、固定部材と前記第二位置決め孔、前記調節部材の調節用孔及び固定孔との組み合わせによって、前記調節部材はスプレー塗装角度の調節可能に前記側支持部材に結合されることを特徴とする請求項２に記載の三次元プリンティング装置。
【発明の詳細な説明】
【技術分野】
【０００１】
本発明は、プリンティング装置に関し、特に三次元プリンティング装置に関するものである。
【背景技術】
【０００２】
通常、携帯電話またはコンピュータなどのような電子装置のハウジングに対してスプレー塗装方式で塗装して、電子装置のハウジングの外観を加飾する。従来のスプレーガンは高速の空気を利用して、塗料を微小な顆粒に霧化してスプレーガンのノズルから噴出する。前記高速の空気が産生する気流は強いので、ワークの表面に塗装される塗料を均一にするために、前記ワークと前記スプレーガンとは一定の間隔を保持しなければならない。
【０００３】
しかし、前記スプレーガンと前記ワークとの間隔が遠ければ遠いほど、塗料の霧化範囲が大きくなり、且つワークに確実に塗装される塗料は約１０％〜３０％しかなく、約７０％〜９０％の塗料は浪費される。
【０００４】
従来の技術において、スプレー塗装の効果を優れたものとするために、通常支持フレームに複数のハウジングを引掛けてから、前記複数のハウジングに対してスプレー塗装する。しかし、スプレー塗装しようとするハウジングの造型又はサイズが変わった場合、塗料を噴出する複数のスプレーガンの角度を調節し、前記支持フレームにおける支持バーの位置も調節しなければならないため、人手及び時間が浪費される。
【発明の概要】
【発明が解決しようとする課題】
【０００５】
以上の問題点に鑑みて、本発明は、ワークの造型及びサイズに基づいて素早く調節することができ、且つ塗料を節約できる三次元プリンティング装置を提供することを目的とする。
【課題を解決するための手段】
【０００６】
前記問題を解決するために、本発明に係る三次元プリンティング装置は、第一インクジェットヘッドが設置されている頂支持部材と、前記頂支持部材に間隔を調節可能に組み合わされる２つの側支持部材と、第二インクジェットヘッドが設置されており、且つ前記２つの側支持部材に組み合わされてスプレー塗装角度を調節できる２つの調節部材と、を備える。
【発明の効果】
【０００７】
本発明に係る三次元プリンティング装置において、位置決め孔及び調節用孔を利用して部材を組み合わせる構造を採用することよって、必要に応じて前記頂支持部材の高さ、前記２つの側支持部材の間の距離及び前記調節部材の角度を調節することができる。従って、異なる造型又はサイズに基づいて前記三次元プリンティング装置を素早く調節でき、スプレー塗装の効率を向上させることができ、且つ塗料を節約することができる。
【図面の簡単な説明】
【０００８】
【図１】本発明に係る三次元プリンティング装置の斜視図である。
【図２】図１の三次元プリンティング装置の分解図である。
【図３】図１の三次元プリンティング装置のスプレー塗装を示す図である。
【図４】図１の三次元プリンティング装置の他のスプレー塗装を示す図である。
【発明を実施するための形態】
【０００９】
以下、図面に基づいて、本発明の実施例に係る三次元プリンティング装置について詳細に説明する。
【００１０】
図１及び図２を参照すると、本発明に係る三次元プリンティング装置１０は、頂支持部材２０、２つの側支持部材３０、２つの調節部材４０及び複数のインクジェットヘッド５０を備える。
【００１１】
前記頂支持部材２０は、両側に形成されている２つの第一側板２１及び前記２つの第一側板２１の間に形成されている第一インクジェットヘッド５０を収容するための第一収容部２２を備える。前記各々の第一側板２１には複数の第一位置決め孔２３が形成されている。固定部材６０と前記第一位置決め孔２３との組み合わせによって、前記第一インクジェットヘッド５０は前記頂支持部材２０に固定される。
【００１２】
前記各々の側支持部材３０は、両側に形成されている２つの第二側板３１及び前記２つの第二側板３１の間に形成されている第二収容部３２を備える。前記各々の第二側板３１には複数の第二位置決め孔３３が形成されている。前記２つの第二収容部３２の上部に前記頂支持部材２０の両端部が収容される。前記固定部材６０と前記第一位置決め孔２３及び前記第二位置決め孔３３との組み合わせによって、前記頂支持部材２０と前記側支持部材３０とが結合され、且つ前記頂支持部材２０の高さ及び前記２つの側支持部材３０の間の距離は、必要に応じて調節できる。
【００１３】
前記各々の調節部材４０は、両側に形成されている２つの第三側板４１及び前記２つの第三側板４１の間に形成されている第三収容部４２を備える。前記各々の第三側板４１の上端には複数の調節用孔４３が形成され、前記各々の第三側板４１の下端には固定孔４４が形成されている。前記第三収容部４２に第二インクジェットヘッド５１が収容される。前記調節部材４０は前記第二収容部３２の下部に収容される。前記固定部材６０と前記第二位置決め孔３３、前記調節部材４０の調節用孔４３及び固定孔４４との配合によって、前記調節部材４０は前記側支持部材３０に結合され、且つ前記調節部材４０のスプレー塗装角度は、必要に応じて調節できる。
【００１４】
図３を参照すると、ワーク７０が伝送装置８０によって前記三次元プリンティング装置１０のスプレー塗装範囲内に入った時、前記ワーク７０の頂表面は前記第一収容部２２内に位置する第一インクジェットヘッド５０によってスプレー塗装され、前記ワーク７０の２つの側表面は前記２つの第三収容部４２内に位置する第二インクジェットヘッド５１によってそれぞれにスプレー塗装される。
【００１５】
前記三次元プリンティング装置１０は、位置決め孔及び調節用孔を利用して部材を組み合わせる構造を採用することよって、必要に応じて前記頂支持部材２０の高さ、前記２つの側支持部材３０の間の距離及び前記調節部材４０の角度を調節することができる。従って、ワークの異なる造型又はサイズに基づいて前記三次元プリンティング装置１０を素早く調節でき、スプレー塗装の効率を向上させることができる。
【００１６】
図４を参照すると、他の造型又はサイズを有するワーク７１に対してスプレー塗装する場合、前記頂支持部材２０の第一位置決め孔２３と前記側支持部材３０の第二位置決め孔３３との組み合わせを調節することによって前記頂支持部材２０の高さ及び前記２つの側支持部材３０の間の距離を調節し、前記側支持部材３０第二位置決め孔３３及び前記調節部材４０の調節用孔４３との組み合わせを調節することによって前記調節部材４０のスプレー塗装角度を調節して、前記三次元プリンティング装置１０を前記ワーク７１のスプレー塗装に適合するようにする。
【００１７】
以上、本発明の好適な実施例について詳細に説明したが、本発明は前記実施例に限定されるものではなく、本発明の範囲内で種々の変形又は修正が可能であり、該変形又は修正も又、本発明の特許請求の範囲内に含まれるものであることは、いうまでもない。
【符号の説明】
【００１８】
１０  三次元プリンティング装置
２０  頂支持部材
２１  第一側板
２２  第一収容部
２３  第一位置決め孔
３０  側支持部材
３１  第二側板
３２  第二収容部
３３  第二位置決め孔
４０  調節部材
４１  第三側板
４２  第三収容部
４３  調節用孔
４４  固定孔
５０  第一インクジェットヘッド
５１  第二インクジェットヘッド
６０  固定部材
７０、７１  ワーク
８０  伝送装置
【図１】
2011020113.tif 000003
【図２】
2011020113.tif 000004
【図３】
2011020113.tif 000005
【図４】
2011020113.tif 000006